(57)【要約】【課題】データキャリアデバイスの記録情報に対して信頼度の高いデータ認証を行う。【解決手段】データキャリアデバイスに対して記録するべき記録情報と、親情報とを取得する情報取得手段と、記録情報と、親情報とを演算した結果の情報に対してハッシュ処理することにより電子署名情報を生成する電子署名生成手段と、記録情報と、電子署名情報とをデータキャリアデバイスに記録する記録手段と、データキャリアデバイスに記録されている記録情報と、電子署名情報とを読み取る第１の読取手段と、親データキャリアデバイスから親情報を読み取る第２の読取手段と、第１の読取手段によって読み取った記録情報と第２の読取手段によって読み取った親情報とを演算した結果の情報に対してハッシュ処理した情報と、第１の読取手段によって読み取った電子署名情報とを比較した結果に応じて、第１の読取手段によって読み取った記録情報の認証を行う認証手段とを備えた。【選択図】図１
2008084225.tif 000002
【特許請求の範囲】
【請求項１】
記録情報と該記録情報を保証する親情報とを演算した結果の情報に対してハッシュ処理することにより生成した電子署名情報と、前記記録情報とを記録したデータキャリアデバイスと、
前記親情報が記録された親データキャリアデバイスと、
前記データキャリアデバイスに対して記録するべき前記記録情報と、前記親情報とを取得する情報取得手段と、
前記記録情報と、前記親情報とを演算した結果の情報に対してハッシュ処理することにより前記電子署名情報を生成する電子署名生成手段と、
前記記録情報と、前記電子署名情報とを前記データキャリアデバイスに記録する記録手段と、
前記データキャリアデバイスに記録されている前記記録情報と、前記電子署名情報とを読み取る第１の読取手段と、
前記親データキャリアデバイスから前記親情報を読み取る第２の読取手段と、
前記第１の読取手段によって読み取った前記記録情報と前記第２の読取手段によって読み取った前記親情報とを演算した結果の情報に対してハッシュ処理した情報と、前記第１の読取手段によって読み取った前記電子署名情報とを比較した結果に応じて、前記第１の読取手段によって読み取った前記記録情報の認証を行う認証手段と
を備えたことを特徴とするデータ認証システム。
【請求項２】
記録情報と、ハッシュ処理によって生成された電子署名情報とをデータキャリアデバイスから読み取る第１の読取手段と、
親データキャリアデバイスから前記記録情報を保証する親情報を読み取る第２の読取手段と、
前記記録情報と前記親情報とを演算した結果の情報に対してハッシュ処理した情報と、前記電子署名情報とを比較した結果に応じて、前記記録情報の認証を行う認証手段と
を備えたことを特徴とするデータ読取装置。
【請求項３】
データキャリアデバイスに対して記録情報と、該記録情報を保証する親情報とを取得する情報取得手段と、
前記記録情報と、前記親情報とを演算した結果の情報に対してハッシュ処理することにより電子署名情報を生成する電子署名生成手段と、
前記記録情報と、前記電子署名情報とを前記データキャリアデバイスに記録する記録手段と
を備えたことを特徴とする発行装置。
【請求項４】
記録情報と該記録情報を保証する親情報とを演算した結果の情報に対してハッシュ処理することにより生成した電子署名情報と、前記記録情報とを記録したことを特徴とするデータキャリアデバイス。
【請求項５】
記録情報と該記録情報を保証する親情報とを演算した結果の情報に対してハッシュ処理することにより生成した電子署名情報と、前記記録情報とを記録したデータキャリアデバイスと、前記親情報が記録された親データキャリアデバイスとを備えるデータ認証システムにおけるデータ認証方法であって、
前記データキャリアデバイスに対して記録するべき前記記録情報と、前記親情報とを取得する情報取得ステップと、
前記記録情報と、前記親情報とを演算した結果の情報に対してハッシュ処理することにより前記電子署名情報を生成する電子署名生成ステップと、
前記記録情報と、前記電子署名情報とを前記データキャリアデバイスに記録する記録ステップと、
前記データキャリアデバイスに記録されている前記記録情報と、前記電子署名情報とを読み取る第１の読取ステップと、
前記親データキャリアデバイスから前記親情報を読み取る第２の読取ステップと、
前記第１の読取ステップによって読み取った前記記録情報と前記第２の読取ステップによって読み取った前記親情報とを演算した結果の情報に対してハッシュ処理した情報と、前記第１の読取ステップによって読み取った前記電子署名情報とを比較した結果に応じて、前記第１の読取ステップによって読み取った前記記録情報の認証を行う認証ステップと
を備えたことを特徴とするデータ認証方法。
【発明の詳細な説明】
【技術分野】
【０００１】
本発明は、データキャリアデバイスの偽造、改竄、複製、流用を防止することができるデータ認証方法、データキャリアデバイス、発行装置、データ読取装置及びデータ認証システムに関する。
【背景技術】
【０００２】
従来から個人情報、商品情報、位置情報などの情報が格納されたデータキャリアデバイスが知られている。代表的なデータキャリアデバイスには、ＲＦＩＤ、Ｓｍａｒｔカード、Ａｃｔｉｖｅ  Ｃｈｉｐ、２次元バーコードなどがある。また、赤外線、Ｂｌｕｅｔｏｏｔｈ（登録商標）、ＺｉｇＢｅｅなどの無線通信により情報を伝達する「無線マーカ」と呼ばれるデバイスがあるが、これもデータキャリアデバイスと言える。これらデータキャリアデバイスの利用用途は、個々の物体にタグとして貼付し、製品や食品の流通管理、図書館や美術館での物品管理に利用することや、宣伝看板に無線マーカを設置し、観光案内や災害時避難誘導などの情報提供サービスに利用するなど、さまざまな分野での利用が想定されている（例えば、非特許文献１参照）。
【０００３】
また、データキャリアデバイスの応用例として、商品タグに製造メーカが証明書データに電子署名を付けて商品タグのメモリ内に記録し、これを製品につけて出荷、購入者が店舗にて専用のリーダでこれを読み取り、その製品が本物であるか、偽物であるかを確認できる製品認証システムが知られている（例えば、特許文献１参照）。
【非特許文献１】坂村健、越塚登，「ユビキタスＩＤセンターの取り組み」月刊バーコード，vol.16，no.5，日本工業出版，２００３年４月，pp.15〜20
【特許文献１】特開２０００−０１１１１４号公報
【発明の開示】
【発明が解決しようとする課題】
【０００４】
ところで、ＱＲコードのような２次元バーコードについても、データキャリアデバイスと言うことができるが、このＱＲコードは、ＱＲコードを作成するフリーのソフトウェアが多数存在するため、個人でも作成を容易に行うことができる。また、ＱＲコード自体の画像を複写機でコピーすることで、複製も容易に行うことができる。このように、ＱＲコードのような２次元バーコードは、信頼度が低いデータキャリアデバイスと言える。例えば、観光案内サイトのアドレス情報のＱＲコードが印刷された宣伝看板に、悪意のある第三者により、アダルトサイトへ誘導するアドレス情報のＱＲコードのシールが貼付された事例も報告されている。また、２次元バーコード以外のデータキャリアデバイスにおいても、偽造、改竄、複製されて悪用されてしまう可能性があるという問題がある。また、タグ形式のデータキャリアデバイスにおいて、正規のタグを贋物に貼り付けられ、流用されてしまう可能性があるという問題もある。
【０００５】
本発明は、このような事情に鑑みてなされたもので、上述の問題を解決し、偽造、改竄、複製、流用が困難で信頼度の高いデータキャリアデバイス、発行装置、データ読取装置、データ認証システム及びデータ認証方法を提供することを目的とする。
【課題を解決するための手段】
【０００６】
本発明は、記録情報と該記録情報を保証する親情報とを演算した結果の情報に対してハッシュ処理することにより生成した電子署名情報と、前記記録情報とを記録したデータキャリアデバイスと、前記親情報が記録された親データキャリアデバイスと、前記データキャリアデバイスに対して記録するべき前記記録情報と、前記親情報とを取得する情報取得手段と、前記記録情報と、前記親情報とを演算した結果の情報に対してハッシュ処理することにより前記電子署名情報を生成する電子署名生成手段と、前記記録情報と、前記電子署名情報とを前記データキャリアデバイスに記録する記録手段と、前記データキャリアデバイスに記録されている前記記録情報と、前記電子署名情報とを読み取る第１の読取手段と、前記親データキャリアデバイスから前記親情報を読み取る第２の読取手段と、前記第１の読取手段によって読み取った前記記録情報と前記第２の読取手段によって読み取った前記親情報とを演算した結果の情報に対してハッシュ処理した情報と、前記第１の読取手段によって読み取った前記電子署名情報とを比較した結果に応じて、前記第１の読取手段によって読み取った前記記録情報の認証を行う認証手段とを備えたことを特徴とする。
【０００７】
本発明は、記録情報と、ハッシュ処理によって生成された電子署名情報とをデータキャリアデバイスから読み取る第１の読取手段と、親データキャリアデバイスから前記記録情報を保証する親情報を読み取る第２の読取手段と、前記記録情報と前記親情報とを演算した結果の情報に対してハッシュ処理した情報と、前記電子署名情報とを比較した結果に応じて、前記記録情報の認証を行う認証手段とを備えたことを特徴とする。
【０００８】
本発明は、データキャリアデバイスに対して記録情報と、該記録情報を保証する親情報とを取得する情報取得手段と、前記記録情報と、前記親情報とを演算した結果の情報に対してハッシュ処理することにより電子署名情報を生成する電子署名生成手段と、前記記録情報と、前記電子署名情報とを前記データキャリアデバイスに記録する記録手段とを備えたことを特徴とする。
【０００９】
本発明は、記録情報と該記録情報を保証する親情報とを演算した結果の情報に対してハッシュ処理することにより生成した電子署名情報と、前記記録情報とを記録したことを特徴とする。
【００１０】
本発明は、記録情報と該記録情報を保証する親情報とを演算した結果の情報に対してハッシュ処理することにより生成した電子署名情報と、前記記録情報とを記録したデータキャリアデバイスと、前記親情報が記録された親データキャリアデバイスとを備えるデータ認証システムにおけるデータ認証方法であって、前記データキャリアデバイスに対して記録するべき前記記録情報と、前記親情報とを取得する情報取得ステップと、前記記録情報と、前記親情報とを演算した結果の情報に対してハッシュ処理することにより前記電子署名情報を生成する電子署名生成ステップと、前記記録情報と、前記電子署名情報とを前記データキャリアデバイスに記録する記録ステップと、前記データキャリアデバイスに記録されている前記記録情報と、前記電子署名情報とを読み取る第１の読取ステップと、前記親データキャリアデバイスから前記親情報を読み取る第２の読取ステップと、前記第１の読取ステップによって読み取った前記記録情報と前記第２の読取ステップによって読み取った前記親情報とを演算した結果の情報に対してハッシュ処理した情報と、前記第１の読取ステップによって読み取った前記電子署名情報とを比較した結果に応じて、前記第１の読取ステップによって読み取った前記記録情報の認証を行う認証ステップとを備えたことを特徴とする。
【発明の効果】
【００１１】
本発明によれば、データキャリアデバイスに識別ＩＤ番号と電子署名のみを記録しておき、電子署名の生成に親のデータキャリアデバイスを設けることで、電子署名の認証の際に親子双方の認識ＩＤ番号が一致しないと認証されないようにしたため、偽造、改竄、複製、流用を防止することができるという効果が得られる。
【発明を実施するための最良の形態】
【００１２】
以下、本発明の一実施形態によるデータキャリアデバイス、発行装置、データ読取装置、データ認証システム及びデータ認証方法を図面を参照して説明する。図１は同実施形態の構成を示すブロック図である。この図において、符号１は、ＩＣタグ等で構成するデータキャリアデバイスであり、内部にデータキャリアデバイス１を一意に識別することが可能な識別ＩＤ番号と、電子署名の情報が記録されている。データキャリアデバイス１の内部には、個人情報、商品情報、位置情報などの情報本体は、記録されていない。符号２は、データキャリアデバイス１の親のデータキャリアデバイスであり、内部に親データキャリアデバイス２を一意に識別することが可能な親の識別ＩＤ番号が記録されている。符号３は、データキャリアデバイス１及び親データキャリアデバイス２内に記録されている情報を読み取る読取装置であり、ネットワーク７に接続することにより他の機器との間で情報通信を行うことが可能である。符号４は、データキャリアデバイス１内に情報を書き込むことにより、データキャリアデバイス１を発行するデータキャリアデバイス発行機である。符号５は、識別ＩＤ番号の発行処理を行う識別ＩＤ番号の発行サーバ５１（以下、発行サーバと称する）と、識別ＩＤ番号と情報本体を関連付けて記憶する情報識別ＩＤ番号のデータベース５２（以下、データベースと称する）と、データベース５２に記憶されている識別ＩＤ番号に関連付けられた情報本体を取り出す識別ＩＤ番号の解決サーバ５３（以下、解決サーバと称する）とから構成する管理センタである。符号６は、Ｗｅｂサーバ等から構成するコンテンツサーバである。
【００１３】
次に、図１に示すシステムの動作を説明する。発行サーバ５１は、識別ＩＤ番号を発行するとともに、発行した識別ＩＤ番号の真贋を判定する電子署名も発行する。この電子署名は、自らの識別ＩＤ番号と、これを保証する親データキャリアデバイス２に記録されている親の識別ＩＤ番号から生成する。発行サーバ５１で発行した識別ＩＤ番号と電子署名は、データキャリアデバイス発行機４によって、データキャリアデバイス１に記録される。データキャリアデバイス１内に記録されている情報を読み取る際は、読取端末３を利用する。このとき、電子署名の認証に必要である親データキャリアデバイス２に記録されている情報も読取端末３で読み取る必要があるが、親データキャリアデバイス２は、公知の無線マーカによって実現し、読取端末３がその通信範囲内に入れば、自動的に読み取るようにすることが望ましい。電子署名の認証は、読取端末３、解決サーバ５３のいずれかで行う。電子署名の認証が成功すると、識別ＩＤ番号に関連付けられた情報本体が解決サーバ５３によってデータベース５２から読み出されて読取端末３に転送されることにより読取端末３の画面上に表示されることになる。また、識別ＩＤ番号に関連付けられた情報本体が、コンテンツサーバ６のアドレスを示していた場合、読取端末３は専用の閲覧ソフトを起動し、コンテンツサーバ６に対してアクセスを実行する。
【００１４】
次に、図２、３を参照して、電子署名の発行・認証を行う動作を説明する。図２は、電子署名の発行・認証を行う動作を示す図である。図３は、一般的な電子署名の発行・認証の動作を示す図である。電子署名の発行は、発行サーバ５１が発行するべき識別ＩＤ番号と、この識別ＩＤ番号を保証する親の識別ＩＤ番号とを加算し、この加算した値をハッシュ化した後に暗号化して、電子署名を生成する。そして発行サーバ５１が発行した識別ＩＤ番号と生成した電子署名をデータキャリアデバイス発行機４を介してデータキャリアデバイス１へ記録することにより、データキャリアデバイス１が発行されることになる。
【００１５】
一方、電子署名の認証は、読取装置３または解決サーバ５３が、データキャリアデバイス１に記録されている識別ＩＤ番号と、親データキャリアデバイス２に記録されている親の識別ＩＤ番号とをそれぞれ読み取り、読み取った識別ＩＤ番号と親の識別ＩＤ番号とを加算し、この加算した値をハッシュ化する。また、データキャリアデバイス１から読み取った電子署名を復号化し、この復号化したものと、識別ＩＤ番号と親の識別ＩＤ番号とを加算した値をハッシュ化したものとを比較し、一致すればデータキャリアデバイス１から読み取った識別ＩＤ番号の認証が成功したものと見なす。
【００１６】
図２に示す本発明による発行・認証動作と、図３に示す一般的な発行・認証動作と比較すると、本発明は証明書に情報本体を格納せずに、識別ＩＤ番号のみを記録した点と、電子署名の生成時に、識別ＩＤ番号のみをハッシュ化するのではなく、識別ＩＤ番号とこの識別ＩＤ番号の親の識別ＩＤ番号を加算した後に、ハッシュ化している点が異なる。即ち、電子署名の発行時に設定した親の識別ＩＤ番号と、電子署名の認証時に読み取った親データキャリアデバイス２に記録されている親の識別ＩＤ番号が一致するか否かを認証条件としている。
【００１７】
このように、データキャリアデバイス１には、個人情報、商品情報、位置情報などの情報自体は格納されず、識別ＩＤ番号と電子署名のみを格納するようにしたため、偽造、改竄を防止することができるとともに、電子署名の生成に親のデータキャリアデバイス２を設けることで、電子署名の認証の際にも親子双方の認識ＩＤ番号が一致しないと認証されないようにしたため、複製、流用を防止することができる。また、この方法は、信頼度が低い２次元バーコードのようなデータキャリアデバイスにおいても適用可能である。
【００１８】
次に、本発明によるデータキャリアデバイス、発行装置、データ読取装置、データ認証システム及びデータ認証方法を具体例を挙げて説明する。
【実施例１】
【００１９】
図４は、本発明を観光案内に利用する場合において、データベース５２に記憶される情報の一例を示す図である。この場合、Ｊａｖａ（登録商標）やＢＲＥＷのようなアプリケーション実行機能を搭載しており、この機能を利用して作成されたアプリケーションにより、Ｂｌｕｅｔｏｏｔｈ（登録商標）マーカとＱＲコードからの識別ＩＤ番号の取得し、識別ＩＤの認証、解決サーバ５３のアクセス、コンテンツサーバ６に対するアクセスを行う携帯電話機が図１に示す読取装置３に相当する。また、ＱＲコードを印刷するためのパソコンとプリンタがデータキャリアデバイス発行機４に相当し、Ｂｌｕｅｔｏｏｔｈ（登録商標）マーカが親データキャリアデバイス２、ＱＲコードの画像が印刷された印刷物がデータキャリアデバイス１に相当する。また、データベース５２には、データキャリアデバイスの識別ＩＤ番号毎に、観光名所を案内するＷＥＢサイトのＵＲＬ（Uniform Resource Locators）が関連付けられている。データベース５２に記憶されている情報のうち、種別とは、親のデータキャリアデバイスであるか、子のデータキャリアデバイスであるかを識別するための情報であり、子のデータキャリアデバイスの場合は、親の識別ＩＤ番号が定義されている。
【００２０】
このように構成することにより、観光名所を訪れた観光客が所有する携帯電話機を使って、ＱＲコードを読み取ることにより、このＱＲコードが存在する場所の観光名所を案内するＷＥＢサイトのＵＲＬを取得することができるため、観光客は、携帯電話機の画面に表示される観光案内情報を閲覧することができる。この構成によれば、電子署名の認証の際にも親子双方の認識ＩＤ番号が一致しないと認証されないため、悪意のある第三者によるＱＲコードの偽造、改竄を防止することができる。
【実施例２】
【００２１】
図５（ａ）は、本発明をおもちゃ箱に収納されるおもちゃの管理に利用する場合において、データベース５２に記憶される情報の一例を示す図である。この場合、複数のＩＣタグを同時に読み取ることができる専用端末が図１に示す読取装置３に相当する。また、各おもちゃに取り付けられたＩＣタグがデータキャリアデバイス１に相当し、おもちゃ箱に取り付けられたＩＣタグがデータキャリアデバイス２に相当する。また、データベース５２には、データキャリアデバイスの識別ＩＤ番号毎に、収納されるべきおもちゃ箱を識別可能な情報が関連付けられている。
【００２２】
図５（ｂ）に示すように、Ｘ君とＹ君のおもちゃＤを取り違えてしまうような場合に、この取り違えを検出するには、読取専用端末をおもちゃ箱に対してかざし、おもちゃ箱と内包されたおもちゃの識別ＩＤ番号を同時に読み取る。そして、読取専用端末が認証処理を行って、この認証に失敗したものは、所有者が異なるおもちゃであるため、読取専用端末の表示手段を使用して、その旨を表示することにより、全く同一のおもちゃであっても所有者の管理を確実に行うことが可能である。
【実施例３】
【００２３】
図６（ａ）は、本発明を少量多品種の自動車の組立てラインの管理に利用する場合において、データベース５２に記憶される情報の一例を示す図である。この場合、部品Ａ〜Ｄのそれぞれの取付け工程の作業場所に設置されたＩＣタグリーダが図１に示す読取装置３に相当する。また、各部品に取り付けられたＩＣタグがデータキャリアデバイス１に相当し、自動車の車体フレームに取り付けられたＩＣタグがデータキャリアデバイス２に相当する。また、データベース５２には、データキャリアデバイスの識別ＩＤ番号毎に、各自動車の車体フレームに取り付けられるべき部品を識別可能な情報が関連付けられている。
【００２４】
図６（ｂ）に示すように、少量多品種の組立てラインにおいて、作業者が間違った部品を取付けるミスを防止するために、部品Ａ〜Ｄのそれぞれの取付け工程において、ＩＣタグリーダが設置され、このＩＣタグリーダは、組立てラインを流れてきた、自動車の車体フレームと、取付けるべき部品の識別ＩＤ番号を同時に読み取る。そして、ＩＣタグリーダが認証処理を行って、この認証に失敗した場合は、作業者が間違った部品を取付けようとしている場合であるため、ＩＣタグリーダの表示手段を使用して、その旨を作業者に警告することにより、車体フレームに取り付けるべき部品を確実に取り付ける作業を行うことができる。
【実施例４】
【００２５】
図７（ａ）は、本発明を備品の設置場所の自動管理に利用する場合において、データベース５２に記憶される情報の一例を示す図である。この場合、部屋の出入口に設置されたＩＣタグリーダが図１に示す読取装置３に相当する。また、各備品に取り付けられたＩＣタグがデータキャリアデバイス１に相当し、ＩＣタグリーダに内蔵されたＩＣタグがデータキャリアデバイス２に相当する。また、データベース５２には、データキャリアデバイスの識別ＩＤ番号毎に、備品を識別する情報と設置場所を識別する情報が関連付けられている。
【００２６】
図７（ｂ）に示すように、備品Ｃ（ＩＤ＝３５）が、部屋Ｙ（ＩＤ＝３１）から部屋Ｘ（ＩＤ＝３０）に移動しているような場合に、（１）から（２）のタイミングにおいて部屋ＹのＩＣタグリーダ（読取装置）で備品Ｃの搬出を検知し、備品Ｃの親ＩＤを部屋Ｙ（ＩＤ＝３１）から移動中（ＩＤ＝３２）に変更するように識別ＩＤ番号の編集サーバ８に要求する。また、（２）から（３）のタイミングにおいて部屋ＸのＩＣタグリーダ（読取装置）で備品Ｃの搬入を検知し、備品Ｃの親ＩＤを移動中（ＩＤ＝３２）から部屋Ｘ（ＩＤ＝３０）に変更するように識別ＩＤ番号の編集サーバ８に要求する。そして、備品Ａ〜Ｄの設置場所の確認は、備品検索端末９がデータベース５２を参照して、備品検索端末９の表示手段に表示することにより行う。
【００２７】
また、備品に代えて、牛等の家畜にＩＣタグを取り付けて、各牛を収容する牛小屋に親データキャリアデバイス２に相当するＩＣタグを内蔵したＩＣタグリーダを取り付ければ、家畜の収容場所管理にも適用可能である。
【実施例５】
【００２８】
図８（ａ）は、本発明をチケットの真贋判定に利用する場合において、データベース５２に記憶される情報の一例を示す図である。この場合、第１回公演と第２回公演では、認証処理の暗号化、復号化の秘密鍵が変更されるＱＲコード読取り機が図１に示す読取装置３に相当する。このＱＲコード読取り機は、座席に取付けられる。また、第１回公演と第２回公演では、認証処理の暗号化、復号化の秘密鍵が変更されるチケット発行機がデータキャリアデバイス発行機４に相当する。また、各チケットに貼り付けられたＱＲコードがデータキャリアデバイス１に相当し、ＱＲコード読取り機に内蔵されたＩＣタグがデータキャリアデバイス２に相当する。また、データベース５２には、データキャリアデバイスの識別ＩＤ番号毎に、親子関係を識別する情報が関連付けられている。
【００２９】
図８（ｂ）に示すように、各座席のＱＲコード読取り機（読取端末）によって各チケットに貼付されているＱＲコードを読み取り、認証処理が成功すると、座席の椅子が開き着席可能となる。本発明による認証処理を適用することにより、チケットの偽造、改竄を防止できる。また、第１回公演と第２回公演のチケットを区別するには、暗号化、複号化の秘密鍵を変更することで容易に対応することができる。
【図面の簡単な説明】
【００３０】
【図１】本発明の一実施形態の構成を示すブロック図である。
【図２】図１に示すシステムにおける電子署名の発行・認証の動作を示す説明図である。
【図３】一般的な電子署名の発行・認証の動作を示す説明図である。
【図４】実施例１の構成を示す説明図である。
【図５】実施例２の構成を示す説明図である。
【図６】実施例３の構成を示す説明図である。
【図７】実施例４の構成を示す説明図である。
【図８】実施例５の構成を示す説明図である。
【符号の説明】
【００３１】
１・・・データキャリアデバイス、２・・・親データキャリアデバイス、３・・・読取端末、４・・・データキャリアデバイス発行機、５・・・管理センタ、５１・・・識別ＩＤ番号の発行サーバ、５２・・・識別ＩＤ番号のデータベース、５３・・・識別ＩＤ番号の解決サーバ、６・・・コンテンツサーバ、７・・・ネットワーク
【図１】
2008084225.tif 000003
【図２】
2008084225.tif 000004
【図３】
2008084225.tif 000005
【図４】
2008084225.tif 000006
【図５】
2008084225.tif 000007
【図６】
2008084225.tif 000008
【図７】
2008084225.tif 000009
【図８】
2008084225.tif 000010